【事件の表示】
　特許第３１８４８１８号「ボウル型パーツフィーダ」の請求項１ないし３に係る特許に対する特許異議の申立てについて、次のとおり決定する。
【結　論】
　特許第３１８４８１８号の請求項１ないし３に係る特許を維持する。
【理　由】
１．手続の経緯
　特許第３１８４８１８号の請求項１ないし４に係る発明についての出願は、平成１１年４月１２日に特許出願され、平成１３年４月２７日にその発明について特許権の設定登録がなされ、その後、請求項１ないし３に係る発明の特許について、八木理子（以下、「申立人」という。）より特許異議の申立てがなされたものである。
　　
２．本件発明
　特許第３１８４８１８号の請求項１ないし３に係る発明（以下、それぞれ「本件発明１ないし３」という。）は、願書に添付した明細書及び図面（以下、「特許明細書」という。）の記載からみて、その特許請求の範囲の請求項１ないし３に記載された事項により特定される次のとおりのものである。
「【請求項１】一端に断面円形の頭部を有し、他端に前記頭部よりも幅狭に形成された長短２本の脚部を有する被搬送物の前記頭部を所定の方向に位置して搬出するボウル型パーツフィーダにおいて、ボウルの外周に周設配置され、前記被搬送物の脚部をボウルの外周方向に吸引するマグネットと、前記マグネットにより脚部の吸引された被搬送物の頭部をボウルの外周縁に係止する係止手段を備え、前記マグネットの周設位置に対応する位置のボウルの外周であって、ボウルの外周方向に吸引された被搬送物の短脚の先端位置よりも前記ボウルの外周縁から離間した位置に、前記被搬送物の長脚を載置する段部を所定長さ連続して形成し、前記段部の形成位置に前記突出部の形成位置に搬送される前の被搬送物の脚部に対し、上方から下方に向けて圧縮ガスを噴射するノズルを設けると共に前記ボウルの外周であって、前記段部よりもボウル寄りの位置に、被搬送物の短脚に接触するが、長脚には接触しない高さに突出された突出部を、前記短脚に接触する位置と接触しない位置との間で位置調整自在に設けたことを特徴とするボウル型パーツフィーダ。
【請求項２】前記段部の形成位置に対応する位置のボウルの外周縁に沿ってボウルの内周側に、被搬送物の頭部を載置する凸部を設けたことを特徴とする請求項１記載のボウル型パーツフィーダ。
【請求項３】被搬送物の搬送方向後方側における前記マグネットの設置端近傍において、圧縮ガスを被搬送物に噴射するノズルを設けたことを特徴とする請求項１又は２記載のボウル型パーツフィーダ。」
　　
３．特許異議の申立ての理由の概要
　申立人は、「本件発明１ないし３は、その出願の日前に頒布された甲第１号証（特開平１０−２１８３４４号公報）及び甲第２号証（特開平９−２５５１３２号公報）に記載された発明に基づいて、当業者が容易に発明をすることができたものであるから、特許法第２９条第２項の規定により特許を受けることができない」旨主張するものである。
　　
４．甲号各証に記載された発明
（１）甲第１号証（以下、「刊行物１」という。）には、その明細書及び図面の記載からみて、
「一端に円柱状の頭部Ｈ（断面円形の頭部）を有し、他端に前記頭部Ｈ（頭部）よりも幅狭に形成された長さの異なる２本のリードＬａ、Ｌｂ（長短２本の脚部）を有する電解コンデンサＣ（被搬送物）の前記頭部Ｈ（頭部）を所定の方向に位置して搬出する捩り振動パーツフィーダ２（ボウル型パーツフィーダ）において、ボウル２１（ボウル）の外周に周設配置され、前記電解コンデンサＣ（被搬送物）のリードＬａ、Ｌｂ（脚部）をボウル２１（ボウル）の外周方向に吸引するゴム磁石３８Ａ、３８Ｃ（マグネット）と、前記ゴム磁石３８Ａ、３８Ｃ（マグネット）によりリードＬａ、Ｌｂ（脚部）の吸引された電解コンデンサＣ（被搬送物）の頭部Ｈ（頭部）をボウル２１（ボウル）の外周縁に係止する、抑え板３５とその下方のトラック３４、４４、５４、６４、７４（係止手段）を備え、前記ゴム磁石３８Ａ、３８Ｃ（マグネット）の周設位置に対応する位置のボウルの外周であって、ボウル２１（ボウル）の外周方向に吸引された電解コンデンサＣ（被搬送物）の長いリードＬａと短いリードＬｂとを乗り上げさせる平面状ガイド板６７を設けるとともに、該平面状ガイド板６７の外周側に長いリードＬａの先端部のみが届く位置に垂直ガイド板７７を設け、前記平面状ガイド板６７上で、電解コンデンサＣの長いリードＬａと短いリードＬｂとを乗り上げさせた状態で移送することにより、短いリードＬｂを前側にしている電解コンデンサＣは、ゴム磁石３８Ａ、３８Ｃに強く吸引されている長いリードＬａを回転中心として、短いリードＬｂが後方へ回転され、平面状ガイド板６７に当接して回転が停止されることにより、長いリードＬａが前側になって移送され、また、長いリードＬａを前側にしている電解コンデンサＣは、短いリードＬｂが平面状ガイド板６７によって回転を阻止され、そのままの向きで移送され、続いて、前記垂直ガイド板７７で電解コンデンサＣの長いリードＬａを支持し移送する捩り振動パーツフィーダ（ボウル型パーツフィーダ）。」という発明（以下、「刊行物１記載の発明」という。）が記載されていると認められる。
　なお、括弧内には、対比の便のため、本件発明１の対応語句を併記した。
　
（２）甲第２号証（以下、「刊行物２」という。）には、その明細書及び図面の記載からみて、その特許請求の範囲の請求項２に、
「円筒状の頭部および該頭部の底面の直径上の中央部から前記直径より小さい間隔で同一方向へ並べて取り付けられた長さの異る２本の磁性金属の足を有する電解コンデンサ様部品の姿勢と移送の向きとを整えて移送するための部品整送装置において、捩り振動パーツフィーダのボウル内のスパイラル状の平板トラックに続く最上部の周回に設けられた、前記ボウルの径外方へ向かって下向き傾斜の移送面と、横臥姿勢の前記部品の頭部を係止するが前記２本の足は外周側へ回動自在に挿通させる第１間隙をあけて前記移送面の外周縁部の直上に固定された周壁と、前記第１間隙を挿通する前記２本の足のうちの長い方の足の先端よりも離隔した位置に前記移送面と同心円上に付設されて前記長い方の足を外周側から吸引する第１磁石とからなる懸吊トラックの途中に、前記移送面と前記第１磁石との間で前記長い方の足のみが接触する位置に前記移送面と同心円上に設けられて前記長い方の足を下端面（または上端面）へ沿わせ移送させるガイド部材と、前記移送面と前記ガイド部材との間に前記短い方の足を前記長い方の足の上方（または下方）に位置させるように吸引する第２磁石とが設けられて前記部品の移送の向きを整える整列部が形成されており、該整列部の下流部分において、前記第１間隙が狭められ前記２本の足の間隔より狭く前記２本の足が回動し得ない幅の第２間隙とされる遷移領域に前記第２磁石の下流端が位置されて前記短い方の足の吸引が解消されることにより、前記部品が前記第２間隙内で前記長い方の足（または前記短い方の足）を先行させ、前記短い方の足（または長い方の足）を後続させて移送されることを特徴とする部品整送装置。」という発明が記載されていると認められる。
　　
５．対比・判断
５−１．本件発明１について
　本件発明１と刊行物１記載の発明とを対比すると、後者の「電解コンデンサＣ」は、その技術的意義において、前者の「被搬送物」に相当し、以下同様に「円柱状の頭部Ｈ」は「断面円形の頭部」に、「長さの異なる２本のリードＬａ、Ｌｂ」は「長短２本の脚部」に、「捩り振動パーツフィーダ２」は「ボウル型パーツフィーダ」に、「ボウル２１」は「ボウル」に、「ゴム磁石３８Ａ、３８Ｃ」は「マグネット」に、「抑え板３５とその下方のトラック３４、４４、５４、６４、７４」は「係止手段」にそれぞれ相当するものと認められる。
　また、前者の「前記マグネットの周設位置に対応する位置のボウルの外周であって、ボウルの外周方向に吸引された被搬送物の短脚の先端位置よりも前記ボウルの外周縁から離間した位置に、前記被搬送物の長脚を載置する段部を所定長さ連続して形成し、前記段部の形成位置に前記突出部の形成位置に搬送される前の被搬送物の脚部に対し、上方から下方に向けて圧縮ガスを噴射するノズルを設けると共に前記ボウルの外周であって、前記段部よりもボウル寄りの位置に、被搬送物の短脚に接触するが、長脚には接触しない高さに突出された突出部を、前記短脚に接触する位置と接触しない位置との間で位置調整自在に設けた」との技術的事項と、後者の「前記ゴム磁石３８Ａ、３８Ｃ（マグネット）の周設位置に対応する位置のボウルの外周であって、ボウル２１（ボウル）の外周方向に吸引された電解コンデンサＣ（被搬送物）の長いリードＬａと短いリードＬｂとを乗り上げさせる平面状ガイド板６７を設けるとともに、該平面状ガイド板６７の外周側に長いリードＬａの先端部のみが届く位置に垂直ガイド板７７を設け、前記平面状ガイド板６７上で、電解コンデンサＣの長いリードＬａと短いリードＬｂとを乗り上げさせた状態で移送することにより、短いリードＬｂを前側にしている電解コンデンサＣは、ゴム磁石３８Ａ、３８Ｃに強く吸引されている長いリードＬａを回転中心として、短いリードＬｂが後方へ回転され、平面状ガイド板６７に当接して回転が停止されることにより、長いリードＬａが前側になって移送され、また、長いリードＬａを前側にしている電解コンデンサＣは、短いリードＬｂが平面状ガイド板６７によって回転を阻止され、そのままの向きで移送され、続いて、前記垂直ガイド板７７で電解コンデンサＣの長いリードＬａを支持し移送する」との技術的事項は、両者共に「被搬送物の向きを所定向きに整列させる機構」といえるものである。
　してみると、両者の一致点及び相違点は、以下のとおりである。
【一致点】
　一端に断面円形の頭部を有し、他端に前記頭部よりも幅狭に形成された長短２本の脚部を有する被搬送物の前記頭部を所定の方向に位置して搬出するボウル型パーツフィーダにおいて、ボウルの外周に周設配置され、前記被搬送物の脚部をボウルの外周方向に吸引するマグネットと、前記マグネットにより脚部の吸引された被搬送物の頭部をボウルの外周縁に係止する係止手段を備えると共に、被搬送物の向きを所定向きに整列させる機構を備えたボウル型パーツフィーダ。
　　
【相違点】　
　被搬送物の向きを所定向きに整列させる機構について、本件発明１は、「前記マグネットの周設位置に対応する位置のボウルの外周であって、ボウルの外周方向に吸引された被搬送物の短脚の先端位置よりも前記ボウルの外周縁から離間した位置に、前記被搬送物の長脚を載置する段部を所定長さ連続して形成し、前記段部の形成位置に前記突出部の形成位置に搬送される前の被搬送物の脚部に対し、上方から下方に向けて圧縮ガスを噴射するノズルを設けると共に前記ボウルの外周であって、前記段部よりもボウル寄りの位置に、被搬送物の短脚に接触するが、長脚には接触しない高さに突出された突出部を、前記短脚に接触する位置と接触しない位置との間で位置調整自在に設け」て構成しているのに対し、刊行物１記載の発明は、「前記ゴム磁石３８Ａ、３８Ｃ（マグネット）の周設位置に対応する位置のボウルの外周であって、ボウル２１（ボウル）の外周方向に吸引された電解コンデンサＣ（被搬送物）の長いリードＬａと短いリードＬｂとを乗り上げさせる平面状ガイド板６７を設けるとともに、該平面状ガイド板６７の外周側に長いリードＬａの先端部のみが届く位置に垂直ガイド板７７を設け、前記平面状ガイド板６７上で、電解コンデンサＣの長いリードＬａと短いリードＬｂとを乗り上げさせた状態で移送することにより、短いリードＬｂを前側にしている電解コンデンサＣは、ゴム磁石３８Ａ、３８Ｃに強く吸引されている長いリードＬａを回転中心として、短いリードＬｂが後方へ回転され、平面状ガイド板６７に当接して回転が停止されることにより、長いリードＬａが前側になって移送され、また、長いリードＬａを前側にしている電解コンデンサＣは、短いリードＬｂが平面状ガイド板６７によって回転を阻止され、そのままの向きで移送され、続いて、前記垂直ガイド板７７で電解コンデンサＣの長いリードＬａを支持し移送する」構成である点。
　　
　上記相違点について検討する。
　刊行物２には、本件発明１及び刊行物１記載の発明と同様の技術分野に属する「ボウル型パーツフィーダ」に関して、一端に断面円形の頭部を有し、他端に前記頭部よりも幅狭に形成された長短２本の脚部を有する被搬送物の前記頭部を所定の方向に位置して搬出するための「被搬送物の向きを所定向きに整列させる機構」として、「ボウルの径外方へ向かって下向き傾斜の移送面と、横臥姿勢の部品の頭部を係止するが２本の足は外周側へ回動自在に挿通させる第１間隙をあけて移送面の外周縁部の直上に固定された周壁と、第１間隙を挿通する２本の足のうちの長い方の足の先端よりも離隔した位置に移送面と同心円上に付設されて長い方の足を外周側から吸引する第１磁石とからなる懸吊トラックの途中に、移送面と第１磁石との間で長い方の足のみが接触する位置に移送面と同心円上に設けられて長い方の足を下端面（または上端面）へ沿わせ移送させるガイド部材と、移送面とガイド部材との間に短い方の足を長い方の足の上方（または下方）に位置させるように吸引する第２磁石とが設けられて部品の移送の向きを整える整列部が形成されており、該整列部の下流部分において、第１間隙が狭められ２本の足の間隔より狭く２本の足が回動し得ない幅の第２間隙とされる遷移領域に第２磁石の下流端が位置されて短い方の足の吸引が解消されることにより、部品が第２間隙内で長い方の足（または短い方の足）を先行させ、短い方の足（または長い方の足）を後続させて移送」するという技術的事項（以下、「技術的事項Ａ」という。）は記載されていると認められるが（上記４．（２）参照）、当該技術的事項Ａは、被搬送物の短脚を搬送方向前方又は後方に位置して移送することを適宜選択的に設定するために、「被搬送物の短脚に接触するが、長脚には接触しない高さに突出された突出部を、前記短脚に接触する位置と接触しない位置との間で位置調整自在に設け」るものではないし、さらに、前記突出部の形成位置に搬送される前の被搬送物の脚部を確実に下方に向け得るように、「突出部の形成位置に搬送される前の被搬送物の脚部に対し、上方から下方に向けて圧縮ガスを噴射するノズル」を設けるものでもない。すなわち、刊行物２には、上記相違点に係る本件発明１を特定する事項について何らの記載も示唆もなされていない、といわざるを得ない。
　そして、本件発明１は、刊行物１及び２に記載された発明が具備しない、上記相違点に係る本件発明１を特定する事項を備えること、特に、「被搬送物の短脚に接触するが、長脚には接触しない高さに突出された突出部を、前記短脚に接触する位置と接触しない位置との間で位置調整自在に設け」るとの技術的事項を備えることで、「被搬送物の短脚４６を搬送方向前方に位置して移送すること、及び被搬送物の短脚４６を搬送方向後方に位置して移送することを適宜選択的に設定し得る」との作用効果を奏するものと認められる（特許明細書の段落【００６０】参照）。
　してみると、本件発明１は、刊行物１及び２に記載された発明に基づいて当業者が容易に発明をすることができたものである、とすることはできない。
　　
５−２．本件発明２について
　本件発明２は、本件発明１を特定する事項を全て含み、さらに新たな技術的事項を付加して発明を特定するものである。
　してみると、本件発明２は、上記「５−１．本件発明１について」の項で説示した同様の理由により、刊行物１及び２に記載された発明に基づいて当業者が容易に発明をすることができたものである、とすることはできない。
　
５−３．本件発明３について
　本件発明３は、本件発明１又は本件発明２を特定する事項を全て含み、さらに新たな技術的事項を付加して発明を特定するものである。
　してみると、本件発明３は、上記「５−１．本件発明１について」の項で説示した同様の理由により、刊行物１及び２に記載された発明に基づいて当業者が容易に発明をすることができたものである、とすることはできない。
　
６．むすび
　以上のとおりであるから、特許異議の申立ての理由及び証拠によっては、本件発明１ないし３に係る特許を取り消すことはできない。
　また、他に本件発明１ないし３に係る特許を取り消すべき理由を発見しない。
　よって、結論のとおり決定する。
【異議決定日】
平成１４年４月２２日（２００２．４．２２）